(57)【要約】    【課題】  ＣＭスキップ後の再生開始時において、番組本編部分の開始位置から正しく再生されていることを確認できる番組記録再生装置を提供する。    【解決手段】  放送番組のコマーシャル部分の開始位置ＣＭ＿ＩＮ点及び終了位置ＣＭ＿ＯＵＴ点を検出し、記録された放送番組の再生中にコマーシャル部分の開始位置ＣＭ＿ＩＮ点からＣＭスキップを開始し、コマーシャル部分の終了位置ＣＭ＿ＯＵＴ点より戻し時間ＴＲ前の位置でＣＭスキップを終了し、再生を開始する。【選択図】  図１
2008109544.tif 000002
【特許請求の範囲】
【請求項１】
番組本編部分とコマーシャル部分とを有する放送番組を記録媒体に記録し、該記録した放送番組を再生する番組記録再生装置において、
前記放送番組のコマーシャル部分の開始位置及び終了位置を検出するＣＭ部分検出手段と、
前記放送番組の再生中に、ユーザの操作に応じてまたは前記ＣＭ部分検出手段によって検出された前記コマーシャル部分の開始位置から自動的に前記コマーシャル部分をスキップするコマーシャルスキップ手段と、
該コマーシャルスキップ手段によるスキップを、前記ＣＭ部分検出手段によって検出された前記コマーシャル部分の終了位置より所定時間前の位置で停止させ、前記放送番組の再生を開始するスキップ終了位置制御手段とを備えることを特徴とする番組記録再生装置。
【請求項２】
ユーザが前記スキップ終了位置制御手段の作動を停止させるように設定するか、またはユーザが前記所定時間を変更するための動作設定手段をさらに備えることを特徴とする請求項１に記載の番組記録再生装置。
【請求項３】
ダビング用の再生動作を実行しているときは、前記スキップ終了位置制御手段の作動を禁止する禁止手段をさらに備えることを特徴とする請求項１または２に記載の番組記録再生装置。
【発明の詳細な説明】
【技術分野】
【０００１】
本発明は、放送番組を記録媒体に記録し、記録された放送番組を再生する番組記録再生装置に関し、特にコマーシャル部分をスキップする機能を有するものに関する。
【背景技術】
【０００２】
放送番組を記録し、記録した放送番組を再生することが出来る環境を備えたハードディスクレコーダ、ビデオディスクレコーダ等の装置では、番組本編部分とコマーシャル（以下「ＣＭ」という）部分をそれぞれ検出し、その検出情報をもとに番組本編部分の間にあるＣＭ部分を自動で全てスキップする機能、もしくは、ユーザが手動で任意の時間分のＣＭをスキップする機能が一般的に利用されている。ここで使われるＣＭの検出には、放送音声モードの相違検出（モノラル、ステレオ、２ヶ国語）を使う検出方法（例えば特許文献１）、黒フレームの検出を使う検出方法等が広く知られている。
【０００３】
ＣＭのスキップは、番組本編部分のスムーズな再生を目的としておこなわれ、本編と本編の間にある全てのＣＭ部分を見ないことが最善であるとする判断のもとに機能することが現在の主流である。このことは、例えば特許文献１でも述べられている。
【０００４】
【特許文献１】特開２００２−１１２１９７号公報
【発明の開示】
【発明が解決しようとする課題】
【０００５】
従来のＣＭスキップ機能では、ＣＭの開始時に次の番組本編部分開始部分までＣＭ部分を順次、または一括でスキップさせることを目的とするため、ＣＭ後の番組本編部分の再生開始部分にはＣＭ映像がないことが良いとされてきた。しかし、この方法では、番組本編部分の再生開始部分以前に本当に本編部が含まれていないかどうかが分からず、ユーザによっては確認のためにＣＭスキップ終了後の番組本編部分の再生開始時に、わざと早戻し処理をしてＣＭ終了部分を目視で確認することがあった。つまり、現在のＣＭスキップ機能では、ユーザの要望を十分に満たせていない。
【０００６】
本発明は、上述した点に着目してなされたものであり、ＣＭスキップ後の再生開始時において、番組本編部分の開始位置から正しく再生されていることを確認できる番組記録再生装置を提供することを目的とする。
【０００７】
上記目的を達成するため請求項１に記載の発明は、番組本編部分とコマーシャル部分とを有する放送番組を記録媒体に記録し、該記録した放送番組を再生する番組記録再生装置において、前記放送番組のコマーシャル部分の開始位置及び終了位置を検出するＣＭ部分検出手段と、前記放送番組の再生中に、ユーザの操作に応じてまたは前記ＣＭ部分検出手段によって検出された前記コマーシャル部分の開始位置から自動的に前記コマーシャル部分をスキップするコマーシャルスキップ手段と、該コマーシャルスキップ手段によるスキップを、前記ＣＭ部分検出手段によって検出された前記コマーシャル部分の終了位置より所定時間前の位置で停止させ、前記放送番組の再生を開始するスキップ終了位置制御手段とを備えることを特徴とする。
【０００８】
請求項２に記載の発明は、請求項１に記載の番組記録再生装置において、ユーザが前記スキップ終了位置制御手段の作動を停止させるように設定するか、またはユーザが前記所定時間を変更するための動作設定手段をさらに備えることを特徴とする。
【０００９】
請求項３に記載の発明は、請求項１または２に記載の番組記録再生装置において、ダビング用の再生動作を実行しているときは、前記スキップ終了位置制御手段の作動を禁止する禁止手段をさらに備えることを特徴とする。
【発明の効果】
【００１０】
請求項１に記載の発明によれば、番組本編部分とコマーシャル部分とを有する放送番組のコマーシャル部分の開始位置及び終了位置が判別される。記録された放送番組の再生中に、コマーシャル部分の開始位置にきたとき、コマーシャル部分がコマーシャル終了位置より所定時間前の位置までスキップされ、この位置から再び再生が行われる。これにより、ユーザは短時間再生されたＣＭを見ることで番組本編部分の開始位置から正しく再生されていることを確認できる。
【００１１】
請求項２に記載の発明によれば、スキップ終了位置制御手段の作動を停止させるように設定すること、及び／または前記所定時間を変更することをユーザが行うことができるので、ユーザの好みに合わせたＣＭスッキプ動作が可能となる。
【００１２】
請求項３に記載の発明によれば、ダビング用の再生動作の場合、スキップ終了位置制御手段の作動が禁止される。これにより、例えば記録されている放送番組のダビング再生を行う場合には、判別されたコマーシャル部分の終了位置から番組本編部分の再生が開始されるようにすることができる。したがって、ダビングされた放送番組には所定時間のＣＭ部分が含まれないようにすることができる。
【発明を実施するための最良の形態】
【００１３】
以下本発明の実施の形態を図面を参照して説明する。
図１は、本発明の一実施形態にかかる番組記録再生装置の構成を示すブロック図である。この装置はユーザ操作部１４と、番組記録再生部１２と、ユーザ設定部１５とからなる。ユーザ操作部１４は、ＣＭスキップ実行部１及び早戻し再生部２を備え、番組記録再生部１２は、番組記録再生制御部５、記録媒体６、録画信号再生部７、再生開始位置設定部１０、番組本編検出部８、及びＣＭ部分検出部９を備え、ユーザ設定部１５は、機能設定部３、番組本編位置確認機能ＯＮ／ＯＦＦ設定部４、及びＣＭ再生時間設定部１３を備えている。
【００１４】
ユーザ操作部１４は、ユーザの操作によりそれぞれＣＭスキップ、早戻し、再生の指示などを番組記録再生制御部５に出力する。またユーザ設定部１５は、ユーザの設定動作に応じて、本願発明の特徴である番組本編位置確認機能を有効とするか否かの設定、及びＣＭ部分を短時間再生する際の再生時間の設定を行う。
【００１５】
番組記録再生制御部５は、ユーザ操作部１４から入力される操作情報及びユーザ設定部１５から入力される設定情報にしたがって、図示しないチューナから入力される放送番組情報を記録媒体６に記録する記録制御、及び記録した番組情報を再生する再生制御を行う。記録媒体６として、ハードディスクあるはデジタルビデオディスク（ＤＶＤ）などが使用される。
【００１６】
番組本編検出部８は、放送番組の番組本編部分を検出し、検出情報を再生開始位置設定部１０に供給する。ＣＭ部分検出部９は、放送番組のＣＭ部分を検出し、検出情報を再生開始位置設定部１０に供給する。具体的には、ＣＭ部分の開始位置（以下「ＣＭ＿ＩＮ点」という）及び終了位置（以下「ＣＭ＿ＯＵＴ点」という）がＣＭ部分検出部９（または番組本編検出部８）により検出され、検出されたＣＭ＿ＯＵＴ点及びＣＭ＿ＩＮ点を示す情報が、再生開始位置設定部１０に供給される。この検出方法は特許文献１に示されている音声モード変化検出による検出方法や、黒フレームの検出による検出方法などがあるが、ＣＭ＿ＩＮ点及びＣＭ＿ＯＵＴ点を検出できるものであればその方法は問わない。図１には、番組本編検出部８及びＣＭ部分検出部９がともに示されているが、いずれか一方のみでもよい。
【００１７】
再生開始位置設定部１０は、録画された放送番組を再生する際に、ＣＭ＿ＩＮ点及びＣＭ＿ＯＵＴ点を示す情報に応じて再生開始位置の設定を行う。録画信号再生部７は、再生開始位置設定部１０からの指示にしたがって、記録媒体６から録画信号を再生し、モニタ１１に出力する。
【００１８】
次に、再生開始位置設定部１０の再生開始位置の設定について説明する。図４は、録画されたデータストリーム上の番組本編部分及びＣＭ部分の領域と従来の再生処理及びスキップ動作との関係について説明するための図である。従来は、ＣＭスキップの終了位置として、ＣＭ＿ＯＵＴ点のみを使用していた。つまり、図４の録画データストリーム上の番組本編部分からＣＭ部分に切り換わる時点、すなわちＣＭ＿ＩＮ点になったとき、自動的にまたはユーザの手動操作でＣＭスキップ動作が開始され、ＣＭ＿ＯＵＴ点に到達した時にＣＭスキップから再生処理に動作が切り換わる。また、手動操作によりスキップ時間を指定した（例えば、３０秒）ＣＭスキップ動作中であっても、ＣＭ＿ＯＵＴ点が検出された時点でスキップ時間が３０秒に満たなくても再生動作に切り換わり次の番組本編部分が再生される。番組本編部分の再生がＣＭ＿ＯＵＴ点から行われるため、番組本編部分の開始位置を確認する場合は、手動で早戻し操作をおこないＣＭ＿ＯＵＴ点より少しさかのぼり再生操作を行う必要があった。
【００１９】
図５は、本実施形態における録画されたデータストリーム上の番組本編部分及びＣＭ部分の領域と再生処理及びスキップ動作との関係を説明するための図である。図５に示すＣＭ＿ＩＮ点になったとき、従来の場合と同様に自動的にまたはユーザの手動操作でＣＭスキップ動作が開始される。ＣＭ部分全てを自動でスキップする場合または手動で指定時間分のＣＭをスキップする場合においても、ＣＭスキップ中にＣＭ＿ＯＵＴ点を検出したとき、ＣＭスキップ終了位置をＣＭ＿ＯＵＴ点より戻し時間ＴＲ前の位置（例えば、ＣＭ＿ＯＵＴ点の０．２秒前の時点ｔｓ）に設定し、この時点ｔｓで、ＣＭスキップから再生処理への切り換えが行われ、ＣＭ部分の終わりの時間ＴＲ分が再生表示され、引き続き番組本編部分の再生が行われる。ここで説明した本実施形態特有の機能を「番組本編位置確認機能」という。ＣＭ部分を短時間再生することで、ＣＭスキップ後の再生位置が確実に番組本編部分の再開開始位置であることをユーザに明示することができる。
【００２０】
ＣＭスキップ実行後の番組本編位置確認をするよりも、ＣＭ部分の完全スキップ処理（従来通りに、ＣＭは見ないほうが良いとする処理）を優先することをユーザが希望する場合は、番組本編位置確認機能ＯＮ／ＯＦＦ設定部４で番組本編位置確認機能をオフ（無効）にする。また、ＣＭ＿ＯＵＴ点からＣＭ部分への戻し時間ＴＲを例えば０．２秒としたが、その設定をＣＭ再生時間設定部１３でユーザが任意に設定することができる。なお、戻し時間ＴＲは、予め設定した時間に固定してもよい。
【００２１】
また、さらに、番組本編位置確認機能が動作しない方が良い場合（例えば、ダビングをする場合）には、番組本編位置確認機能のＯＮ／ＯＦＦ設定にかかわらず、ＣＭスキップ後のＣＭ短時間再生をしないようにする機能を用意してもよい。図３は、ダビングをする場合を含めた番組本編位置確認機能の処理を説明するためのフローチャートである。ユーザの指示により録画の再生が開始されると、ステップＳ１において、録画信号の再生がおこなわれる。ステップＳ２では、ＣＭ＿ＩＮ点に到達したかどうかを判定する。この答が否定（ＮＯ）の場合はステップＳ１にもどり録画信号の再生を続行する。ステップＳ２の答が肯定（ＹＥＳ）の場合はステップＳ３に進み、再生処理が単なる再生なのかダビング処理のための再生なのかを判定する。この答が肯定（ＹＥＳ）の場合、ステップＳ６に進み、ＣＭ＿ＯＵＴ点に再生開始位置を設定してＣＭ部分をスキップする。その後、ステップＳ１に戻る。ステップＳ３の答が否定（ＮＯ）の場合はステップＳ４に進み、ユーザに番組本編位置確認機能を使用するか否か確認をする。
【００２２】
ステップＳ４において番組本編位置確認機能を使用しない（ＯＦＦ）場合は、前記ステップＳ６に進む。一方、番組本編位置確認機能を使用する（ＯＮ）場合は、ステップＳ５に進み、ＣＭ＿ＯＵＴ点の戻し時間ＴＲ前に再生開始位置を設定してＣＭ部分をスキップする。その後、ステップＳ１に戻る。
【００２３】
図２は本発明の一実施例にかかる番組記録再生装置の構成を示すブロック図である。
この番組記録再生装置は入力・録画部１０１、記録部１０２、及び再生部１０３からなる。入力・録画部１０１は、ＴＶチューナ２０、外部入力２１、入力切換部２２、Ａ／Ｄ変換器２３、音声モード判別検出部２４、ＭＰＥＧ２エンコーダ２５、マイコン２６、バッファメモリ２７、及び一時記憶メモリ２８を備え、記憶部１０２は、ハードディスク記録再生部２９、ハードディスク３０、書き込み読み出し制御部３１、及び番組本編ＣＭ部分位置情報管理部３２を備え、再生部１０３は、バッファメモリ３３、ＭＰＥＧ２エンコーダ３４、Ｄ／Ａ変換器３５、リモコンＩ／Ｆ３６、マイコン３７、及び一時記憶メモリ３８を備えている。
【００２４】
図２に示す装置の一般的な記録再生動作は特許文献１にも示されるように周知であるので、詳細な説明は省略する。
【００２５】
上述したＣＭ部分の開始位置（ＣＭ＿ＩＮ点）、終了位置（ＣＭ＿ＯＵＴ点）の検出は、音声モード判別検出部２４により行われ、ＣＭ＿ＩＮ点及びＣＭ＿ＯＵＴ点を示す情報が、放送番組情報とともにハードディスク３０に記録される。また、再生時の図３に示す処理はマイコン３７で実行され、マイコン３７の指示に応じて、書き込み読み出し制御部３１及び番組本編ＣＭ部分位置情報管理部３２により実際のスキップ動作が実行される。
【００２６】
またこの実施例では、リモコン１０４及びリモコンＩ／Ｆ３６がユーザ操作部１４及びユーザ設定部１５を構成する。
【００２７】
なお、以上の実施の形態の説明では、コマーシャル部分のスキップの際、コマーシャル部分の開始位置よりコマーシャル部分のスキップを開始して、コマーシャル部分の終了位置より所定時間前の位置から再生を開始するように説明したが、コマーシャル部分のスキップの際、コマーシャル部分の開始位置より所定時間後の位置からコマーシャル部分のスキップを開始して、コマーシャル部分の終了位置より所定時間前の位置から再生を開始するようにしたり、さらには、コマーシャル部分の開始位置より所定時間後の位置からコマーシャル部分のスキップを開始して、コマーシャル部分の終了位置から再生を開始するようにしても勿論よい。
【図面の簡単な説明】
【００２８】
【図１】本発明の一実施形態にかかる番組記録再生装置の構成を示すブロック図である。
【図２】本発明の実施例を説明するための図である。
【図３】番組本編位置確認機能の処理を説明するためのフローチャートである。
【図４】従来のデータストリーム上の番組本編部分及びＣＭ部分の領域と再生処理及びスキップ動作との関係について説明するための図である。
【図５】本実施形態におけるデータストリーム上の番組本編部分及びＣＭ部分の領域と再生処理及びスキップ動作との関係を説明するための図である。
【符号の説明】
【００２９】
１  ＣＭスキップ実行部（コマーシャルスキップ手段）
２  早戻し再生部
３  機能設定部（動作設定手段）
４  番組本編位置確認機能ＯＮ／ＯＦＦ設定部
５  番組記録再生制御部
６  記録媒体
７  録画信号再生部
８  番組本編検出部
９  ＣＭ部分検出部（ＣＭ部分検出手段）
１０  再生開始位置設定部（スキップ終了位置制御手段）
１１  モニタ
１２  番組記録再生部
１３  ＣＭ再生時間設定部
１４  ユーザ操作部
１５  ユーザ設定部
【図１】
2008109544.tif 000003
【図２】
2008109544.tif 000004
【図３】
2008109544.tif 000005
【図４】
2008109544.tif 000006
【図５】
2008109544.tif 000007